(57)【特許請求の範囲】
【請求項１】
（Ａ）次亜塩素酸アルカリ金属塩、
（Ｂ）アルカリ金属の水酸化物、
（Ｃ）一般式（Ｉ）
【化１】
0006560851.tif 000011
（式中、Ｒ１は炭素数１０〜１８の直鎖型又は分枝型のアルキル基であり、ｎは１〜２の整数を表し、Ｍはアルカリ金属である）で表されるアニオン界面活性剤、
（Ｄ）一般式（ＩＩ）
【化２】
0006560851.tif 000012
（式中、Ｒ２は炭素数８〜２０の直鎖型又は分枝型のアルキル基であり、Ｒ３及びＲ４は同一又は異なって炭素数１〜４の直鎖型又は分枝型のアルキル基である）で表される両性界面活性剤、および
（Ｅ）キレート剤
を含有する洗浄剤組成物。
【請求項２】
キレート剤（Ｅ）の濃度が０．０１〜２重量％である請求項１に記載の洗浄剤組成物。
【請求項３】
キレート剤（Ｅ）がグルコン酸アルカリ金属塩である請求項１または２に記載の洗浄剤組成物。
【請求項４】
アニオン界面活性剤（Ｃ）がラウロイルメチル−β−アラニンナトリウムであり、両性界面活性剤（Ｄ）がラウリルジメチルアミンオキシドである請求項１から３のいずれかに記載の洗浄剤組成物。
【請求項５】
請求項１から４のいずれかに記載の洗浄剤組成物を含む泡洗浄剤。
【請求項６】
請求項５記載の泡洗浄剤を泡状に硬質表面に付着させたのちに除去する工程を含む硬質表面の洗浄方法。
【発明の詳細な説明】
【技術分野】
【０００１】
本発明は、排水口、排水管等に生じた汚れを除去するために用いられる洗浄剤組成物に関する。
【背景技術】
【０００２】
浴室、浴槽、洗面台、台所等の硬質表面に付着したぬめり除去のため、次亜塩素酸アルカリ金属塩、アルカリ金属の水酸化物、および界面活性剤を主成分として含有する洗浄剤が使用され、酸化剤とアルカリ剤で除去している。ここで、ぬめりとは、食品廃棄物、排泄物、排泄物から生じる有機質汚物、微生物による汚れ、毛髪、泥石鹸カス、リン酸塩、炭酸塩などで構成される汚れをいう。
【０００３】
たとえば、特許文献１には、前記界面活性剤として、Ｎ−アシルサルコシン塩およびトリアルキルアミンオキシドを配合したぬめり取り剤が開示されている。しかしながら、タンパク質などで構成される強力なぬめりを分解し、除去することを目的とするものであって、とくに油汚れに対する洗浄力は充分ではなく、また、油汚れ洗浄を主目的としたものではないため、洗浄剤を泡状に吐出させることも開示されていない。
【０００４】
また、特許文献２には、前記界面活性剤として、脂肪族アルカリ金属塩およびアルキルアミンオキシドを配合した洗浄剤が開示されている。しかしながら、起泡性を有しているものの、泡の量（大きさ）だけでなく、泡の持続性も充分ではなかった。また、ぬめり取り効果も充分ではなく、満足できるものではなかった。
【先行技術文献】
【特許文献】
【０００５】
【特許文献１】特開２００３−０５５６９８号公報
【特許文献２】特開２００２−２１２５９４号公報
【発明の概要】
【発明が解決しようとする課題】
【０００６】
本発明は、泡立ちとともに泡の持続性（泡持ち）が高く、さらに保存安定性にも優れる洗浄剤組成物を提供することを目的とする。
【課題を解決するための手段】
【０００７】
本発明者は、上記課題を解決するため鋭意検討したところ、次亜塩素酸アルカリ金属塩、アルカリ金属の水酸化物、特定のアニオン界面活性剤、および、特定の両性界面活性剤を含有する洗浄剤組成物において、一般的に防錆剤として使用されるキレート剤を配合すると、保存安定性を維持したうえで泡立ちと泡持ちが改善されることを見出し、本発明を完成した。
【０００８】
すなわち、本発明は、（Ａ）次亜塩素酸アルカリ金属塩、（Ｂ）アルカリ金属の水酸化物、（Ｃ）一般式（Ｉ）
【０００９】
【化１】
0006560851.tif 000002
【００１０】
（式中、Ｒ１は炭素数１０〜１８の直鎖型又は分枝型のアルキル基であり、ｎは１〜２の整数を表し、Ｍはアルカリ金属である）で表されるアニオン界面活性剤、（Ｄ）一般式（ＩＩ）
【００１１】
【化２】
0006560851.tif 000003
【００１２】
（式中、Ｒ２は炭素数８〜２０の直鎖型又は分枝型のアルキル基であり、Ｒ３及びＲ４は同一又は異なって炭素数１〜４の直鎖型又は分枝型のアルキル基である）で表される両性界面活性剤、および（Ｅ）キレート剤を含有する洗浄剤組成物に関する。
【００１３】
キレート剤（Ｅ）の濃度が０．０１〜２重量％であることが好ましい。
【００１４】
キレート剤（Ｅ）がグルコン酸アルカリ金属塩であることが好ましい。
【００１５】
アニオン界面活性剤（Ｃ）がラウロイルメチル−β−アラニンナトリウムであり、両性界面活性剤（Ｄ）がラウリルジメチルアミンオキシドであることが好ましい。
【００１６】
また、本発明は、前記洗浄剤組成物を含む泡洗浄剤、および、該泡洗浄剤を泡状に硬質表面に付着させたのちに除去する工程を含む硬質表面の洗浄方法に関する。
【発明の効果】
【００１７】
本発明の洗浄剤組成物は、次亜塩素酸アルカリ金属塩、アルカリ金属の水酸化物、特定のアニオン界面活性剤、および、特定の両性界面活性剤を含有する洗浄剤組成物において、キレート剤を含有するため、洗浄剤組成物の保存安定性を維持したうえで、泡立ちと泡持ちに優れている。
【図面の簡単な説明】
【００１８】
【図１】グルコン酸ナトリウムの濃度に対する泡立ちの変化を示す図である。
【発明を実施するための形態】
【００１９】
本発明の洗浄剤組成物は、（Ａ）次亜塩素酸アルカリ金属塩、（Ｂ）アルカリ金属の水酸化物、（Ｃ）一般式（Ｉ）
【００２０】
【化３】
0006560851.tif 000004
【００２１】
（式中、Ｒ１は炭素数１０〜１８の直鎖型又は分枝型のアルキル基であり、ｎは１〜２の整数を表し、Ｍはアルカリ金属である）で表されるアニオン界面活性剤、（Ｄ）一般式（ＩＩ）
【００２２】
【化４】
0006560851.tif 000005
【００２３】
（式中、Ｒ２は炭素数８〜２０の直鎖型又は分枝型のアルキル基であり、Ｒ３及びＲ４は同一又は異なって炭素数１〜４の直鎖型又は分枝型のアルキル基である）で表される両性界面活性剤、および、（Ｅ）キレート剤を含有する。
【００２４】
次亜塩素酸アルカリ金属塩（Ａ）は特に限定されないが、たとえば次亜塩素酸ナトリウム、次亜塩素酸カリウム等が挙げられる。これらのなかでは、漂白・殺菌力が強く、排水口、排水管等に生じた汚れを効率的に除去することが可能な点で、次亜塩素酸ナトリウムが好ましい。
【００２５】
次亜塩素酸アルカリ金属塩（Ａ）の組成物中の濃度は特に限定されないが、好ましくは０．１〜１０重量％、より好ましくは３〜１０重量％である。０．１重量％未満では、タンパク質分解能力が低下し洗浄力が弱まる。一方で、１０重量％を超えると、洗浄剤組成物中の界面活性剤の保存安定性が低下する傾向がある。
【００２６】
アルカリ金属の水酸化物（Ｂ）は特に限定されないが、たとえば水酸化ナトリウム、水酸化カリウム等が挙げられる。これらのアルカリ金属の水酸化物は、１種単独で使用してもよく、また２種類以上を組み合わせて使用してもよい。これらの中では、排水口、排水管等に生じた汚れに対する洗浄性をより向上させるという観点から、水酸化ナトリウムが好ましい。
【００２７】
アルカリ金属の水酸化物（Ｂ）の組成物中の濃度は特に限定されないが、好ましくは０．１〜５重量％、より好ましくは０．５〜５重量％、さらに好ましくは１〜５重量％である。０．１重量％未満では、洗浄剤組成物中の次亜塩素酸アルカリ金属塩の保存安定性が低下し、５重量％を超えると、洗浄剤組成物中の界面活性剤の保存安定性が低下する傾向がある。
【００２８】
アニオン界面活性剤（Ｃ）は、一般式（Ｉ）
【００２９】
【化５】
0006560851.tif 000006
【００３０】
で表されるアニオン界面活性剤である。式中、Ｒ１は炭素数１０〜１８の直鎖型又は分枝型のアルキル基であり、たとえばデシル基、ドデシル基、テトラデシル基、ヘキサデシル基、オクタデシル基等が挙げられる。ｎは、１〜２の整数を表す。Ｍはアルカリ金属であり、たとえばナトリウム、カリウム等が挙げられ、好ましくはナトリウムである。一般式（Ｉ）で表されるアニオン界面活性剤としては、たとえばラウロイルメチル−β−アラニンナトリウム、ラウロイルサルコシンナトリウム、ココイルサルコシンナトリウム、ミリストイルサルコシンナトリウム等が挙げられる。
【００３１】
アニオン界面活性剤（Ｃ）の組成物中の濃度は特に限定されないが、好ましくは０．０１〜５重量％、より好ましくは０．０５〜５重量％である。０．０１重量％未満では、泡持ちが悪くなり、５重量％を超えると、洗浄剤組成物中の次亜塩素酸アルカリ金属塩の保存安定性及び泡立ちが低下する傾向がある。
【００３２】
両性界面活性剤（Ｄ）は、一般式（ＩＩ）
【００３３】
【化６】
0006560851.tif 000007
【００３４】
で表される両性界面活性剤である。一般式（ＩＩ）中、Ｒ２は炭素数８〜２０の直鎖型又は分枝型のアルキル基であり、たとえばデシル基、ドデシル基、テトラデシル基、ヘキサデシル基、オクタデシル基等が挙げられる。Ｒ３及びＲ４は同一又は異なって炭素数１〜４の直鎖型又は分枝型のアルキル基であり、たとえばメチル基、エチル基、プロピル基等が挙げられ、好ましくはメチル基である。上記一般式（ＩＩ）で表される両性界面活性剤としては、たとえばラウリルジメチルアミンオキシド、オクチルジメチルアミンオキシド、デシルジメチルアミンオキシド、ミリスチルジメチルアミンオキシド、ヤシジメチルアミンオキシド等が挙げられる。
【００３５】
両性界面活性剤（Ｄ）の組成物中の濃度は特に限定されないが、好ましくは０．１〜１０重量％、より好ましくは０．１〜５重量％、さらに好ましくは０．３〜２重量％である。０．１重量％未満では、十分な泡立ちが得られず、油汚れに対する洗浄力が低下する。１０重量％を超えると、洗浄剤組成物中の次亜塩素酸アルカリ金属塩の保存安定性が低下する傾向がある。
【００３６】
界面活性剤は、次亜塩素酸アルカリ金属塩存在化における保存安定性が良好であり、泡立ち、泡持ちの両方が優れている点で、アニオン界面活性剤（Ｃ）がラウロイルメチル−β−アラニンナトリウムで、両性界面活性剤（Ｄ）がラウリルジメチルアミンオキシドであることが好ましい。
【００３７】
キレート剤（Ｅ）は特に限定されないが、たとえばグルコン酸、酒石酸、メタ珪酸、クエン酸、オルト珪酸、エチレンジアミン四酢酸、ニトリロ三酢酸、ヒドロキシエチルイミノ二酢酸、ジヒドロキシエチルグリシン、ヒドロキシエチレンジアミン三酢酸、ジエチレントリアミン五酢酸、トリエチレンテトラミン六酢酸、及びそれらの塩等が挙げられる。塩としては、たとえばナトリウム塩、カリウム塩等のアルカリ金属塩等が挙げられ、好ましくはナトリウム塩である。これらの中では、泡立ちを増加させ、次亜塩素酸アルカリ金属塩のステンレスに対する腐食を抑制する効果も優れている点からグルコン酸アルカリ金属塩が好ましい。
【００３８】
キレート剤（Ｅ）の組成物中の濃度は特に限定されないが、好ましくは０．０１〜５重量％、より好ましくは０．０１〜２重量％、さらに好ましくは０．０１〜１重量％である。０．０１重量％未満では、泡立ちの増加が見込めず、防錆効果も低い。５重量％を超えると、洗浄剤組成物中の次亜塩素酸アルカリ金属塩の保存安定性が低下する傾向がある。
【００３９】
溶媒としては例えば水が挙げられる。本発明で使用される水は、次亜塩素酸のアルカリ金属塩の安定性を高めるために、イオン交換水、精製水等のイオンを含んでいないものが好ましい。
【００４０】
また、本発明の洗浄剤組成物は、本発明の効果を損なわない範囲で、たとえば非塩素系漂白剤、増粘剤、浸透剤、消臭剤、殺菌剤、酵素、色素、染料、香料等を含有していてもよい。
【００４１】
また、本発明は、前記泡洗浄剤を泡状に硬質表面に付着させたのちに除去する工程を含む硬質表面の洗浄方法に関する。本発明の洗浄剤組成物は、硬質表面、たとえば浴室、浴槽、洗面台、台所等の排水口やその周辺、排水管に生じた汚れを洗浄するために用いられる。洗浄する際には、洗浄剤組成物を硬質表面に泡状に吐出して汚れに付着させた後に除去する。特に、本発明は、泡持ちが良く、傾斜面や垂直面を有する排水管に適用した場合に、排水管内の汚れに長時間付着させることができるので、排水管の洗浄に好適である。対象とする汚れは、食品廃棄物、排泄物、排泄物から生じる有機質汚物、微生物による汚れ、毛髪、泥石鹸カス、リン酸塩、炭酸塩などで構成される。
【００４２】
洗浄剤組成物を泡状に吐出させる方法は特に限定されず、洗浄剤組成物（液体）と気体とを一定の割合で混合し泡で吐出させる方法ならば何でもよい。例えば、メッシュ部材を有するノズルを経由して洗浄剤組成物を吐出するポンプフォームやトリガースプレー、容器に充填された液化ガスまたは圧縮ガスの圧力により洗浄剤組成物を泡状に吐出するエアゾール等が挙げられる。
【００４３】
洗浄剤組成物の泡を汚れに付着させる時間は特に限定されないが、たとえば１５〜３０分が好ましい。泡を除去する方法としては、たとえば水を流す等の方法が挙げられる。
【実施例】
【００４４】
以下、実施例に基づいて本発明を具体的に説明するが、本発明はこれらのみに限定されるものではない。
【００４５】
以下、実施例及び比較例で使用した各種薬品について、まとめて説明する。
次亜塩素酸アルカリ金属塩：次亜塩素酸ナトリウム、南海化学株式会社製「次亜塩素酸ソーダ」、濃度１２重量％
アルカリ金属の水酸化物：水酸化ナトリウム、南海化学株式会社製「か性ソーダ（液体）」、濃度２５重量％
アニオン界面活性剤：ラウロイルメチル−β−アラニンナトリウム、川研ファインケミカル株式会社製「アラノンＡＬＥ」、濃度３１．５重量％
両性界面活性剤：ラウリルジメチルアミンオキシド、第一工業製薬株式会社製「アモーゲンＡＯＬ」、濃度３２重量％
キレート剤：グルコン酸ナトリウム、扶桑化学工業株式会社製「Ｓｏｄｉｕｍ  Ｇｌｕｃｏｎａｔｅ」、濃度１００重量％
【００４６】
実施例１および比較例１〜５
表１に記載した（Ａ）次亜塩素酸ナトリウム、（Ｂ）水酸化ナトリウム、（Ｃ）ラウロイルメチル−β−アラニンナトリウム、（Ｄ）ラウリルジメチルアミンオキシド、（Ｅ）グルコン酸ナトリウム、水を表１に示した配合量で混合し、洗浄剤組成物を作製した。得られた洗浄剤組成物を用いて、以下の方法により発泡量、保存安定性、有効塩素濃度、および、泡の特性を評価した。
【００４７】
（発泡量）
５０ｍｌ容のファルコンチューブに５ｍｌの純水と５ｍｌの洗浄剤組成物を入れ、キャップで密栓した。次いで、目盛を１０に設定したボルテックスミキサー（ＶＯＲＴＥＸ−ＧＥＮＩＥ  ２、エムエス機器株式会社製）の振動板の中央にファルコンチューブを置き、２０秒間振動させた。振動終了後、ファルコンチューブの下端を実験台上に軽く打ち付け、大きな気泡を除いた。この時点の液体と泡の総量を測定して、混合直後の発泡量（ｍｌ）とした。さらに１０分間静置した時点の液体と泡の総量を測定して、混合１０分後の発泡量（ｍｌ）とした。これらの結果を表１に示す。
【００４８】
（保存安定性）
小林製薬株式会社製のサニボン（登録商標）の空容器（ポリエチレン製、内部に細かいメッシュが設けられた吐出ノズルを備えた遮光ボトル）に洗浄剤組成物を充填し、４０℃の恒温槽で１ヶ月間、または５０℃の恒温槽で１週間保存し、洗浄剤組成物の析出の有無を目視で確認した。これらの結果を表１に示す。
〇：析出なし
×：析出あり
【００４９】
（洗浄剤組成物中の有効塩素濃度の測定）
４０℃で１ヶ月保存したときに結晶の析出が認められなかった実施例１および比較例３の洗浄剤組成物について、下記の方法により有効塩素濃度を測定した。
洗浄剤組成物約１ｇを３００ｍｌ容量のフラスコに０．０１ｇ以上の精度で秤量し、ヨウ化カリウム約１ｇを加え、約５０ｍｌの精製水で溶解させた。次に、酢酸５ｍｌをピペットで正確に量り添加した。得られた溶液について、０．１Ｎチオ硫酸ナトリウムで滴定し、滴定に要した０．１Ｎチオ硫酸ナトリウムをＶ（ｍｌ）とし、有効塩素濃度を次式により算出した。これらの結果を表１に示す。
有効塩素濃度（％）＝０．３５４５×Ｖ（ｍｌ）×ｆ／洗浄剤組成物の秤量値（ｇ）
（ｆ：モル濃度係数）。
【００５０】
（ノズルから吐出された泡の特性）
小林製薬株式会社製のサニボン（登録商標）の空容器（ポリエチレン製、遮光ボトル）に洗浄剤組成物を４００ｍｌ充填し、ノズル先端開口部を下にして容器の表裏中央部を１０回押して洗浄剤組成物を吐出させ、形成された泡の特性を下記基準により評価した。また、吐出された泡の面積（ｃｍ２）を算出した。これらの結果を表１に示す。なお、該容器のノズルの内部には泡形成用のメッシュ（２００メッシュと３０メッシュの積層構造でノズル先端開口部側に２００メッシュを配置）が設けられており、このメッシュを洗浄剤組成物が通過することで泡が形成されやすくなる。
◎：５ｍｍ以下の気泡で構成されるキメが細かい泡
○：５超〜１０ｍｍの気泡で構成される泡
△：１０超〜２０ｍｍの気泡で構成される泡
×：２０超〜３０ｍｍ以下の気泡で構成されるキメが粗い泡
【００５１】
【表１】
0006560851.tif 000008
【００５２】
表１は、次亜塩素酸ナトリウム（Ａ）と水酸化ナトリウム（Ｂ）を含有する洗浄剤組成物において、アニオン界面活性剤であるラウロイルメチル−β−アラニンナトリウム（Ｃ）、両性界面活性剤であるラウリルジメチルアミンオキシド（Ｄ）、キレート剤であるグルコン酸ナトリウム（Ｅ）のうち１種以上を配合した洗浄剤組成物について得られた結果を示したものである。ラウロイルメチル−β−アラニンナトリウム（Ｃ）を単独で配合した比較例１では、保存安定性に優れるものの、泡立ちが悪く、さらにグルコン酸ナトリウム（Ｅ）と併用した比較例４でも、比較例１と同様の結果しか示さなかった。また、ラウリルジメチルアミンオキシド（Ｄ）を単独で配合した比較例２では、泡立ちは良いが、泡持ちおよび保存安定性も悪く、さらにグルコン酸ナトリウム（Ｅ）と併用した比較例５でも、比較例２と同様の結果しか示さなかった。一方で、成分（Ｃ）と成分（Ｄ）を併用した場合、比較例３に示すように、泡立ちと泡持ちが良く、洗浄剤組成物の保存安定性にも優れていた。さらに、成分（Ｃ）、成分（Ｄ）、成分（Ｅ）の３成分を併用すると、比較例３に比べて泡立ちがさらに良くなった。
【００５３】
実施例２〜６および比較例３
グルコン酸ナトリウム（Ｅ）の濃度を表２に示す濃度に変えたこと以外は実施例１と同じ組成の洗浄剤組成物を作製した。得られた洗浄剤組成物を用いて、前述の方法で混合直後の発泡量を測定し、以下の方法により洗浄力および漂白力を評価した。
【００５４】
（油汚れに対する洗浄力）
牛脂２０ｇ、大豆油１０ｇ、モノオレイン０．２５ｇ、オイルレッド０．１ｇをクロロホルム６０ｍｌに溶解させ人口汚垢を作製した。初期重量を測定したスライドガラスに人口汚垢を０．０５ｍｌ付着させ、１昼夜風乾させた後のスライドガラスを試験片とした。試験片の重量（汚垢付き重量）を別途測定した。洗浄剤組成物４０ｍｌと水２００ｍｌとの混合物に試験片を浸漬し、３０分後に試験片を引き上げ、水洗し、風乾した後に試験片の重量（洗浄後重量）を測定した（ｎ＝３）。洗浄剤組成物の洗浄力を下記式に基づいて算出した。得られた結果を表２に示す。
洗浄力（％）＝｛（汚垢付き重量（ｇ）−洗浄後重量（ｇ））／（汚垢付き重量（ｇ）−初期重量（ｇ））｝×１００
【００５５】
（漂白力）
色彩色差計（ＣＲ−３００、ＭＩＮＯＬＴＡ社製）で前もって色差を測定しておいた３ｃｍ角の大きさの紅茶汚染布（ＥＭＰＡ１６７、日本資材製）の四隅の一つを、長棒で支持されたクリップで固定し、長棒を３００ｍｌビーカーの開口部に架け渡してビーカーの内部に配置した。
小林製薬株式会社製のサニボン（登録商標）の空容器（ポリエチレン製、遮光ボトル）に洗浄剤組成物４０ｍｌを充填し、ノズル先端開口部を下にして容器の表裏中央部を押して洗浄剤組成物を泡状に吐出させ、上記紅茶汚染布に全量付着させた。３分後に紅茶汚染布を取り出し、水で充分にすすぎ、常温で乾燥させた後、色差を３箇所測定した（ｎ＝３）。得られた色差（ＣＤｎ）と、試験前の紅茶汚染布の色差（ＣＤ０）を下記式に代入して、各布の漂白率を算出した。得られた結果を表２に示す。
漂白率（％）＝｛（ＣＤ０−ＣＤｎ）／ＣＤ０｝×１００
【００５６】
【表２】
0006560851.tif 000009
【００５７】
表２より、グルコン酸ナトリウム（Ｅ）を配合することで、１重量％までは配合量に比例して泡立ちも良くなったが、２重量％を超えると比較例３と同等の泡立ちとなった。また、グルコン酸ナトリウム（Ｅ）を配合することで、油汚れに対する洗浄力がやや向上したが、２重量％になると洗浄力が明らかに低下した。また、グルコン酸ナトリウムを配合しても漂白力は変わらないが、２重量％になると漂白力が低下した。
【００５８】
実施例７〜１１
表３に記載した（Ａ）次亜塩素酸ナトリウム、（Ｂ）水酸化ナトリウム、（Ｃ）ラウロイルメチル−β−アラニンナトリウム、（Ｄ）ラウリルジメチルアミンオキシド、（Ｅ）キレート剤、水を表３に示した配合量で混合し、洗浄剤組成物を作製した。得られた洗浄剤組成物を用いて、以下の方法により腐食性を評価した。
【００５９】
（腐食試験）
ＳＵＳ３０４テストパネルに洗浄剤組成物を１滴垂らし、そのままのパネルと、ラップを被せて密着させたパネルを、それぞれ１晩室温で放置した。下記基準により該テストパネルの腐食状態を目視で評価した。これらの結果を表３に示す。
◎：腐食なし
○：一部がやや腐食
×：全体が腐食
【００６０】
【表３】
0006560851.tif 000010
【００６１】
表３より、ラップがない条件では、酒石酸ナトリウムやクエン酸ナトリウムであっても防錆効果があったが、ラップを被せた厳しい条件では、グルコン酸ナトリウムしか防錆効果がなかった。なお、他のキレート剤では防錆効果が見られなかったが、洗浄力や漂白力は有しており、洗浄剤としては充分に利用可能である。
【図１】
0006560851.tif 000013